(57)【要約】【課題】  ＢＤＦＳフォーマットの記録情報をＵＤＦ２.５フォーマットに変換して記録する場合、元の記録情報を一時的に退避させるために別の情報記録媒体を用意しなければならず、また、元の記録情報を退避させるには大容量であるので時間がかかる。【解決手段】  ＢＤＦＳフォーマットの信号が記録された光ディスク１０１は、情報再生器２０２により再生され、ボリューム情報変換器２０４によりボリューム情報のみがＵＤＦ２.５フォーマットに変換されてＵＤＦ２.５情報テーブル２０５に格納され、データ領域の情報はフォーマット変換しない。情報記録器２０６は、光ディスクのボリューム情報領域を消去した後、フォーマット変換されたボリューム情報のみを光ディスク１０１内の所定の領域に書き込み、データ領域のデータに関してはそのまま変更しない。ボリューム情報は小容量であるので、高速にフォーマット変換が行える。【選択図】            図１
2006179082.tif 000002
【特許請求の範囲】
【請求項１】
記録媒体に第１のフォーマットで記録された、データ及び媒体の記録情報に関する補助情報からなる第１の信号を、前記データの形式は前記第１のフォーマットと同一で、かつ、前記補助情報の形式は前記第１のフォーマットとは異なる第２のフォーマットに変換した第２の信号を前記記録媒体に記録するフォーマット変換装置であって、
前記記録媒体から前記第１のフォーマットの前記第１の信号を再生する再生手段と、
前記再生手段により再生された前記第１の信号のうち、前記補助情報のみを前記第２のフォーマットに変換する変換手段と、
前記記録媒体に記録されている前記第１の信号中の前記補助情報の記録領域を消去する消去手段と、
前記変換手段により前記第２のフォーマットに変換された前記補助情報を、前記第１の信号中の前記データが記録されているデータ記録領域を残し、かつ、前記第２のフォーマットに規定された補助情報記録領域に前記第２の信号として記録する補助情報記録手段と
を有することを特徴とするフォーマット変換装置。
【請求項２】
前記第１のフォーマットはＢＤＦＳフォーマットであり、前記第２のフォーマットはＵＤＦ２.５フォーマットであり、前記補助情報はディスクリプタ情報、記録信号のディレクトリやファイル情報を含むボリューム情報であり、前記記録媒体は光ディスクであることを特徴とする請求項１記載のフォーマット変換装置。
【請求項３】
少なくとも前記第２のフォーマットで規定されたデータ領域は可変であり、前記第２のフォーマットのデータ領域の先頭アドレスが前記第１のフォーマットで記録されたデータ領域の先頭アドレスを超えず、かつ、前記第２のフォーマットのデータ領域が前記第１のフォーマットのデータ領域を含むように、前記第２のフォーマットに変換された補助情報を、前記第１のフォーマットで記録されたデータ領域以外の領域に記録することを特徴とする請求項１又は２記載のフォーマット変換装置。
【発明の詳細な説明】
【技術分野】
【０００１】
本発明はフォーマット変換装置に係り、特に情報記録媒体を使わずに、第１のフォーマットの信号を所定の第２のフォーマットの信号へ変換するフォーマット変換装置に関する。
【背景技術】
【０００２】
一般に、第１の記憶媒体に記憶した第１のフォーマットの信号を、異なる別の第２の記憶媒体に記憶する場合、第２の記憶媒体に適合したフォーマットが第１のフォーマットとは異なる第２のフォーマットの場合、フォーマット変換装置により第１のフォーマットの信号を第２のフォーマットの信号にフォーマット変換してから第２の記憶媒体に記憶する（例えば、特許文献１参照）。
【０００３】
すなわち、この特許文献１記載のフォーマット変換装置では、ＭＰＥＧカメラやデジタルスチルカメラで撮ったＭＰＥＧ画像やＪＰＥＧ静止画の第１のフォーマットのデータファイルを、第１の記憶媒体であるＰＣカードに記憶し、ＰＣカードから読み取ったデータファイルをＤＶＤ−ＲＡＭが読み書きできる第２のフォーマットにフォーマット変換装置で変換し、それをＤＶＤ−ＲＡＭへ記録することが開示されている。
【０００４】
他方、上記の場合とは異なり、同一の記録媒体に元の記録フォーマットとは異なるフォーマットに変換して上書きする場合も、フォーマット変換装置が必要となる。例えば、現在、大容量の光ディスクとして知られているブルーレイ（Ｂｌｕ−ｒａｙ）ディスクでは、ファイルシステムとしてＢＤＦＳ（Blu-ray Disc File System）フォーマットを採用しているが、今後は汎用性のあるＵＤＦ（Universal Disk Format）２.５フォーマットが採用されることが決定している。
【０００５】
このため、ＢＤＦＳフォーマットは徐々に消えていくことになる。これにより、現在のブルーレイディスクレコーダで録画したブルーレイディスクは、将来のブルーレイディスクレコーダでは再生できない問題がでてくる。そこで、ＢＤＦＳフォーマットのブルーレイディスクを、ＵＤＦ２.５フォーマットに変換するフォーマット変換装置が必要になる。
【０００６】
【特許文献１】特開平１１−６６７３６号公報
【発明の開示】
【発明が解決しようとする課題】
【０００７】
しかるに、再フォーマットをした信号を、書き換え型光ディスクであるブルーレイディスクに上書き記録すると、ブルーレイディスク上の元の記録情報は消去されてしまうため、元の記録情報も引き続き保存したい場合は、元の記録情報を一時的に退避させる必要がある。しかし、ブルーレイディスクは容量が大きいため、元の記録情報を退避させるためには、ブルーレイディスクと同等以上の大容量のハードディスクなどの別の情報記録媒体を用意しなければならない。
【０００８】
また、情報を退避させる別の情報記録媒体に、退避させるために必要な容量の空きが無い場合は、フォーマット変換ができない。更に、情報を退避させる別の情報記録媒体に、退避させるために必要な容量の空きがあったとしても、ブルーレイディスクは容量が大きいため、元の記録情報を退避させるには時間がかかり、その結果、迅速なフォーマット変換ができない。
【０００９】
本発明は以上の点に鑑みなされたもので、別の情報記録媒体を用意することなく、高速に第１のフォーマットから第２のフォーマットへフォーマット変換し得るフォーマット変換装置を提供することを目的とする。
【課題を解決するための手段】
【００１０】
本発明は上記の目的を達成するため、記録媒体に第１のフォーマットで記録された、データ及び媒体の記録情報に関する補助情報からなる第１の信号を、データの形式は第１のフォーマットと同一で、かつ、補助情報の形式は第１のフォーマットとは異なる第２のフォーマットに変換した第２の信号を記録媒体に記録するフォーマット変換装置であって、記録媒体から第１のフォーマットの第１の信号を再生する再生手段と、再生手段により再生された第１の信号のうち、補助情報のみを第２のフォーマットに変換する変換手段と、記録媒体に記録されている第１の信号中の補助情報の記録領域を消去する消去手段と、変換手段により第２のフォーマットに変換された補助情報を、第１の信号中のデータが記録されているデータ記録領域を残し、かつ、第２のフォーマットに規定された補助情報記録領域に第２の信号として記録する補助情報記録手段とを有することを特徴とする。
【００１１】
この発明では、記録媒体に記録されている第１のフォーマットの第１の信号を、第２のフォーマットの第２の信号にフォーマット変換して同じ記録媒体に記録するに際し、データ形式が第１及び第２のフォーマットで共通で、補助情報が第１のフォーマットと第２のフォーマットで異なることに着目し、補助情報のみを第１のフォーマットから第２のフォーマットに変換して記録媒体に記録する。
【００１２】
また、上記の目的を達成するため、本発明は、第１のフォーマットはＢＤＦＳフォーマットであり、第２のフォーマットはＵＤＦ２.５フォーマットであり、補助情報はディスクリプタ情報、記録信号のディレクトリやファイル情報を含むボリューム情報であり、記録媒体は光ディスクであることを特徴とする。この発明では、ＢＤＦＳフォーマットの第１の信号が記録されている光ディスクから、第１の信号中のボリューム情報のみをＵＤＦ２.５フォーマットにフォーマット変換して光ディスクに書き込むことにより、光ディスク全体の記録信号をＵＤＦ２.５フォーマットとすることができる。
【００１３】
また、上記の目的を達成するため、本発明は、少なくとも第２のフォーマットで規定されたデータ領域は可変であり、第２のフォーマットのデータ領域の先頭アドレスが第１のフォーマットで記録されたデータ領域の先頭アドレスを超えず、かつ、第２のフォーマットのデータ領域が第１のフォーマットのデータ領域を含むように、第２のフォーマットに変換された補助情報を、第１のフォーマットで記録されたデータ領域以外の領域に記録することを特徴とする。この発明では、第１のフォーマットのデータ領域はそのまま第２のフォーマットのデータ領域として使用することができる。
【発明の効果】
【００１４】
本発明によれば、記録媒体に記録されている第１のフォーマットの第１の信号を、第２のフォーマットの第２の信号にフォーマット変換して同じ記録媒体に記録するに際し、データ形式が第１及び第２のフォーマットで共通で、補助情報が第１のフォーマットと第２のフォーマットで異なることに着目し、補助情報のみを第１のフォーマットから第２のフォーマットに変換して記録媒体に記録するようにしたため、以下の特長を有する。
【００１５】
（１）第１の信号が記録されている記録媒体以外に、ハードディスクなどの別の情報記録媒体が不要であるため、その情報記録媒体に依存することなく、いつでも行える。
【００１６】
（２）ハードディスクなどの別の情報記録媒体が不要であり、また、補助情報はデータに比べて小容量であるため、フォーマット変換後の補助情報格納用メモリは小容量でよく、よって装置全体を安価な構成とすることができる。
【００１７】
（３）データを別の情報記録媒体に退避させる時間が不要で、小容量の補助データのみをフォーマット変換すればよいため、高速にフォーマット変換ができる。
【発明を実施するための最良の形態】
【００１８】
次に、本発明の実施の形態について図面と共に説明する。図１は本発明になるフォーマット変換装置の一実施の形態のブロック図を示す。本実施の形態のフォーマット変換装置は、ディスクドライブ１００とファイルシステム２００とからなる。ディスクドライブ１００は、光ディスク（ここでは、一例としてブルーレイディスク）１０１と、信号変調器２０２と、ディスクドライブ２００との間のインターフェースをとるインターフェース回路１０３とからなる。信号変調器２０２は、光ディスク１０１に対する信号記録時には記録信号を光信号に変換して光ディスク１０１に照射し、光ディスク１０１の再生時には光ディスク１０１に対し光ビームを照射して得た反射光信号を電気信号である読取信号に変換する（本明細書では、この電気信号と光信号の一方から他方への変換のことを変調という）。
【００１９】
一方、ファイルシステム２００は、ディスクドライブ１００との間のインターフェースをとるインターフェース２０１と、光ディスク１０１から信号変調器１０２、インターフェース１０３、及びインターフェース２０１を介して供給された読取信号からＢＤＦＳフォーマットのボリューム情報を再生する情報再生器２０２と、情報再生器２０２で再生したＢＤＦＳフォーマットのボリューム情報を保存しておくＢＤＦＳ情報テーブル２０３と、ＢＤＦＳ情報テーブル２０３からＵＤＦ２.５情報テーブルにボリューム情報を変換するボリューム情報変換器２０４と、ボリューム情報変換器２０４で変換されたＵＤＦ２.５フォーマットのボリューム情報を保存しておくＵＤＦ２.５情報テーブル２０５と、ＵＤＦ２.５フォーマットのボリューム情報を光ディスク１０１に記録する情報記録器２０６とから構成される。
【００２０】
ここで、上記のＢＤＦＳフォーマットは図２（Ａ）に示す構造とされており、上記のＵＤＦ２.５フォーマットは同図（Ｂ）に示す構造とされている。ＢＤＦＳフォーマットは、図２（Ａ）に示すように、予約領域I、ボリューム(volume)領域II、データ(data)領域III、ボリューム情報領域IV、予約領域VIからなる。一方、ＵＤＦ２.５フォーマットは図２（Ｂ）に示すように、予約領域VI、ボリューム(volume)領域VII、予約領域VIII、メタパーティション(metapartition)領域IX、データ(data)領域X、予約領域XI、ボリューム情報領域XIIからなる。
【００２１】
上記のＢＤＦＳフォーマットのデータ領域IIIと、ＵＤＦ２.５フォーマットのデータ領域Xの各データ情報は形式が同じである。また、ＵＤＦ２.５フォーマットのmetapartition領域IXとデータ領域Xは、位置か大きさが可変であるが、データ領域Xの先頭から0x8A00までの範囲で作成するように定められている。もし、データ領域Xの先頭をアドレス0x8A00より大きなアドレス値にしてしまうと、ＢＤＦＳのデータ領域IIIの先頭位置を超えてしまい、ＢＤＦＳのデータ領域IIIの正常再生ができなくなる。
【００２２】
また、ＵＤＦ２.５フォーマットのデータ領域Xの終わりは、ＢＤＦＳフォーマットのデータ領域IIIの終わりよりも大きなアドレス値である。つまり、フォーマット変換後も、ＢＤＦＳのデータ領域IIIであった領域は、ＵＤＦ２.５フォーマットのデータ領域Xとなる。そこで、本実施の形態では、ＢＤＦＳのデータ領域IIIがＵＤＦ２.５フォーマットのデータ領域Xにすべて収まるようにＵＤＦ２.５フォーマットのmetapartition領域IXを設定することで、ＢＤＦＳフォーマットのデータ領域IIIのデータ情報は、フォーマット変換により移動させないようにする。
【００２３】
また、ＢＤＦＳフォーマットのボリューム情報領域II、IVのボリューム情報と、ＵＤＦ２.５フォーマットのボリューム情報領域VII、XIIのボリューム情報とは、形式が異なる。よって、ボリューム情報はフォーマット変換して書き直す必要がある。この変換の際に使用する容量は大きくないため、システムメモリでまかなえる。また、アドレス０ｘ２００〜０ｘ８Ａ００のボリューム情報領域IIとｌａｓｔ−０ｘ８Ａ００〜ｌａｓｔ−０ｘ２００のボリューム情報領域IVには、ＢＤＦＳフォーマットを認識させるボリューム情報が格納されているため、再フォーマット前に消去する必要がある。
【００２４】
次に、図１に示した本実施の形態の上記の点を考慮した動作について、図３のフローチャートと共に説明する。まず、フォーマット変換装置にＢＤＦＳフォーマットの光ディスク（ブルーレイディスク）１０１をセットする（ステップ３０１）。信号変調器１０２は光ディスク（ブルーレイディスク）１０１の所定の領域から再生信号を得て、インターフェース１０３及び２０１を通して情報再生器２０２に供給し、ＢＤＦＳフォーマットのボリューム情報を再生させる（ステップ３０２）。ここで、ボリューム情報とは、光ディスク（ブルーレイディスク）１０１の情報（ディスクリプタ情報等）やディレクトリやファイルの情報（サイズやデータのあるアドレス等）である。
【００２５】
続いて、情報再生器２０２は再生したＢＤＦＳフォーマットのボリューム情報を、メモリのＢＤＦＳ情報テーブル２０３に保存する（ステップ３０３）。ボリューム情報変換器２０４は、ＢＤＦＳ情報テーブル２０３に保存されているＢＤＦＳフォーマットのボリューム情報を、ＵＤＦ２.５フォーマットのボリューム情報に変換し（ステップ３０４）、その変換後のＵＤＦ２.５フォーマットのボリューム情報をメモリのＵＤＦ２.５情報テーブル２０５に保存する（ステップ３０５）。
【００２６】
情報記録器２０６は、ＵＤＦ２.５情報テーブル２０５にＵＤＦ２.５フォーマットのボリューム情報が保存されると、インターフェース２０１及び１０３、信号変調器１０２を介して、光ディスク（ここでは、ブルーレイディスク）１０１の予め規格で定められているＢＤＦＳのボリューム情報領域、すなわち図２に示した、アドレス０ｘ２００〜０ｘ８Ａ００のボリューム情報領域IIとｌａｓｔ−０ｘ８Ａ００〜ｌａｓｔ−０ｘ２００のボリューム情報領域IVに「０」を上書き記録することにより、ＢＤＦＳのボリューム情報領域II、IVに記録されているボリューム情報を消去する（ステップ３０６）。
【００２７】
続いて、情報記録器２０６は、インターフェース２０１及び１０３、信号変調器１０２を介して、光ディスク（ここでは、ブルーレイディスク）１０１の予め規格で定められているＵＤＦ２.５フォーマットのボリューム情報領域VII、XIIに、ＵＤＦ２.５情報テーブル２０５から取得したＵＤＦ２.５フォーマットのボリューム情報を書き込む（ステップ３０７）。このとき、データ領域Xの先頭アドレスが、ＢＤＦＳフォーマットの先頭アドレス０ｘ８Ａ００を超えないように記録を行う。
【００２８】
これにより、光ディスク（ここでは、ブルーレイディスク）１０１はＵＤＦ２.５フォーマットにフォーマット変換されたこととなり、その後装置から取り出される（ステップ３０８）。
【００２９】
このように、本実施の形態によれば、ＢＤＦＳフォーマットで記録されている光ディスク１０１のボリューム情報をＵＤＦ２.５フォーマットにフォーマット変換した後、ＢＤＦＳフォーマットで記録されている光ディスク１０１のボリューム情報領域を消去して、ＵＤＦ２.５フォーマットに規定されているボリューム情報領域に、上記のフォーマット変換後のボリューム情報を光ディスク１０１に書き込むことにより、最も大容量のデータ領域のデータについてはフォーマット変換せず、フォーマット変換は小容量のボリューム情報のみ行うので、小容量のシステムメモリにより高速に変換できる。
【００３０】
なお、本発明は、ブルーレイディスクを例にとって説明したが、同様のフォーマットであれば、ブルーレイディスク以外の記録媒体のフォーマットも可能である。
【図面の簡単な説明】
【００３１】
【図１】本発明の一実施の形態のブロック図である。
【図２】ＢＤＦＳフォーマットとＵＤＦ２.５フォーマットの説明図である。
【図３】図１の動作説明用フローチャートである。
【符号の説明】
【００３２】
１００  ディスクドライブ
１０１  光ディスク
１０２  信号変調器
１０３、２０１  インターフェース
２００  ファイルシステム
２０２  情報再生器
２０３  ＢＤＦＳ情報テーブル
２０４  ボリューム情報変換器
２０５  ＵＤＦ２.５情報テーブル
２０６  情報記録器
II、IV  ＢＤＦＳフォーマットのボリューム情報領域
III  ＢＤＦＳフォーマットのデータ領域
VII、XI  ＵＤＦ２.５フォーマットのボリューム情報領域
X  ＵＤＦ２.５フォーマットのデータ領域
【図１】
2006179082.tif 000003
【図２】
2006179082.tif 000004
【図３】
2006179082.tif 000005